(57)【要約】【課題】メダル枚数を容易に把握し、所定枚数のメダルを容易に取り出し易くすることが可能な遊技機を提供すること。【解決手段】メダル受け部１６の底面１６ｃに、メダル１１５を起立姿勢で厚み方向に重ねて収容可能な平滑面状の凹溝１１６を形成し、凹溝１１６にはメダル１１５の枚数を把握するガイドとなる目盛り１１７と目盛り１１７に対応するメダル１１５の枚数を表示する数値表示１１８が付随されている。また、メダル受け部１６の前面１６ａは、底面１６ｃから上方向に向って凹状の湾曲した曲面になっている。【選択図】図１
2009131414.tif 000002
【特許請求の範囲】
【請求項１】
入賞成立に応じてメダルをメダル払出口から外部に払出す払出手段を備えている遊技機であって、
前記メダル払出口から払出された前記メダルを貯留するメダル受け部を備え、
前記メダル受け部は、前面と後面と底面と側面とを有し、
前記前面は、前記底面から上方に向って凹状に湾曲した曲面であり、
前記メダル受け部には、前記底面から前記前面にかけて前記メダルを起立姿勢で厚み方向に重ねて収容可能な平滑面状の凹溝が形成され、
前記凹溝には、複数の前記メダルを前記凹溝の端から順に収容した際に、前記メダルの枚数を把握するガイドとなる目盛りが形成され、
前記目盛りには、前記目盛りに対応する前記メダルの枚数を表示する数値表示が付随されていることを特徴とする遊技機。
【請求項２】
前記メダル受け部の前記前面には、開口部が形成され、
前記凹溝は、前記開口部から外部へスライド移動可能である移動手段に形成されていることを特徴とする請求項１に記載の遊技機。
【請求項３】
前記凹溝には、所定枚数ごとに前記メダル間の仕切りとなる凸部が形成されていることを特徴とする請求項１又は２に記載の遊技機。
【請求項４】
前記目盛りには、所定枚数の前記メダルと交換可能な景品の名称を表示する景品名称表示が付随されていることを特徴とする請求項１乃至３のいずれかに記載の遊技機。
【発明の詳細な説明】
【技術分野】
【０００１】
本発明は、獲得したメダルを貯留するメダル受け部を備えた遊技機に関する。
【背景技術】
【０００２】
一般的に、パチスロ機と称される遊技機から払出されたメダルは、その下部に設けられたメダル受け部に貯留される。ここで、大量のメダルが払出された場合には、メダル受け部の収容状態によっては、メダル枚数の大略しか把握することができないため、遊技者は手もみと称されるメダルのかき混ぜを行って、メダルを密な状態にして、メダル枚数を推定している。
【０００３】
また、近年、メダルをタバコや飲み物などと交換することができる遊技店が存在する。このため、遊技者はメダル受け部に貯留した大量のメダルから所定枚数のメダルを数えて取り出し、タバコや飲み物などの交換に使用している。
【０００４】
この点、実用新案文献１にはコイン枚数の把握を容易にするために、コイン収容溝とコインの厚みに相当する間隔で枚数表示目盛を設けたコインケースホルダが開示されている。
【０００５】
また、特許文献１には、コインを数え易くするために、受け皿に３列の溝を設け、払い出されたコインをその溝に整然と整列させる遊技機及びコイン貯留装置が開示され、特許文献２には、コイン（メダル）を起立姿勢で厚み方向に重ねて収容可能なガイド凹条を底面に形成した収容箱が開示されている。
【０００６】
さらに、特許文献３には、メダルを起立姿勢で厚み方向に重ねて収容可能な凹溝にメダルの枚数を把握するガイドとなる目盛り及び該目盛りに付随した数値表示を形成することで、ガイド凹溝の全長に満たないメダル枚数でも容易に把握することが可能な遊技機が開示されている。
【０００７】
また、特許文献４には、マイクロコンピュータを用いてメダル受け皿に貯留するメダルの枚数を算出する遊技機が開示されている。
【０００８】
一方、大量のメダルを整理するという点では、特許文献５には、メダル払出口にメダルが山積みにならないようにするために、メダル受け皿の底に上方に向かって突出するとともに、メダル払出口の下方に位置する頂部と、この頂部の左右両側からメダル受け皿の底に向かって下り傾斜した左右一対の傾斜面とを有するメダル振分部が開示されている。
【０００９】
【特許文献１】実願平３−３５６４２（実開平４−１２０６１６号公報）のマイクロフィルム
【特許文献２】特開平１１−１１４１４１号公報
【特許文献３】特開２００１−２３１９１７号公報
【特許文献４】特開２００６−３０４９３１号公報
【特許文献５】特開２０００−２３７３８１号公報
【特許文献６】特開平６−３０４３２０号公報
【発明の開示】
【発明が解決しようとする課題】
【００１０】
しかしながら、特許文献１乃至４に開示された考案及び発明は、メダル枚数を容易に把握することは出来るが、複数あるメダルの中から所定枚数のメダルを取り出すことが困難である。
【００１１】
また、特許文献５に開示された発明は、メダルが山積みになることは解消するが、それでも容易にメダルを取り出し難いという問題が残る。
【００１２】
そこで、本発明の目的は、メダル枚数を容易に把握でき、且つ所定枚数のメダルを容易に取り出し易くすることが可能な遊技機を提供することである。
【課題を解決するための手段及び効果】
【００１３】
本発明に係る遊技機は、遊技媒体を用いて遊技を行うスロットマシンやパチンコ等の遊技機に関する。そして、本発明に係る遊技機は、上記目的を達成するために以下のようないくつかの特徴を有している。すなわち、本発明の遊技機は以下の特徴を単独で、もしくは、適宜組み合わせて備えている。
【００１４】
上記目的を達成するための本発明に係る遊技機は、入賞成立に応じてメダルをメダル払出口から外部に払出す払出手段を備えている遊技機であって、前記メダル払出口から払出された前記メダルを貯留するメダル受け部を備え、前記メダル受け部は、前面と後面と底面と側面とを有し、前記前面は、前記底面から上方に向って凹状に湾曲した曲面であり、前記メダル受け部には、前記底面から前記前面にかけて前記メダルを起立姿勢で厚み方向に重ねて収容可能な平滑面状の凹溝が形成され、前記凹溝には、複数の前記メダルを前記凹溝の端から順に収容した際に、前記メダルの枚数を把握するガイドとなる目盛りが形成され、前記目盛りには、前記目盛りに対応する前記メダルの枚数を表示する数値表示が付随されている。
【００１５】
上記の構成によれば、遊技機のメダル払出口から払出された複数のメダルを凹溝の端から順に収容してメダル列を形成し、メダル列の端と目盛りとの相対位置を確認することで、凹溝の全長に満たないメダル枚数であっても、メダル枚数を容易に把握させることができる。また、遊技者の手によりメダル受け部の底面側から前面側を上方に向って凹状にカーブを描くように凹溝上を滑らしながらメダルを引き寄せることで、遊技者に容易にメダルを手に取らせることができる。
【００１６】
また、本発明に係る遊技機は、前記メダル受け部の前記前面に開口部が形成され、前記凹溝は、前記開口部から外部へスライド移動可能である移動手段に形成されていてもよい。
【００１７】
上記の構成によれば、メダルが収容された凹溝をメダル受け部の開口部から外部へスライド移動することで、遊技者の手元に近いところで容易にメダルを手に取らせることができる。
【００１８】
また、本発明に係る遊技機は、前記凹溝に所定枚数ごとに前記メダル間の仕切りとなる凸部が形成されていてもよい。
【００１９】
上記の構成によれば、メダル間の仕切りとなる凸部による隙間がメダル間にできることで、所定枚数のメダルを容易に手に取らせることができる。
【００２０】
また、本発明に係る遊技機は、前記目盛りに所定枚数の前記メダルと交換可能な景品の名称を表示する景品名称表示が付随されていてもよい。
【００２１】
上記の構成によれば、遊技者に景品名称表示により景品の交換可能な枚数を把握させ、遊技目標を立てながら遊技をさせることができる。
【発明を実施するための最良の形態】
【００２２】
本発明の第１の実施の形態を図面に基づいて以下に説明する。
【００２３】
［第１の実施の形態］
本発明における第１の実施の形態を図１乃至図５に基づいて以下に説明する。
【００２４】
本実施形態にかかる遊技機は、所謂『パチスロ機』であり、複数の図柄の変動表示を入賞ライン上に停止して表示される図柄に基づいて特定の入賞態様が成立するように、遊技者の操作の検知により変動表示を停止可能に構成されている。尚、遊技機は、コインやメダル、遊技球等の他、遊技者に付与された、若しくは付与される遊技価値の情報を記憶したカード等の遊技媒体を用いて遊技するものであるが、以下の説明においては、遊技媒体や遊技価値としてメダルを用いて説明する。
【００２５】
また、本実施例におけるメダルは、例えば直径３ｃｍ、厚みが１ｍｍ程度の円形の金属の延べ板であり、一般の遊技店のパチスロ機やメダルゲーム等で使用されるものと同等のものである。尚、直径・厚み・材質はこれに限定されるものではなく、円形であり且つ遊技機に使用される程度の大きさ及び材質であれば何れでもよい。
【００２６】
（遊技機の構成）
図１は、遊技機１の外観を示す正面図である。遊技機１の全体を形成しているキャビネット２の正面には、液晶表示装置５が設置されている。液晶表示装置５は、後述する３個のリール３Ｌ・３Ｃ・３Ｒと同期する疑似リール４Ｌ・４Ｃ・４Ｒや、キャラクタ等による演出画像等を表示することが可能となっている。
【００２７】
液晶表示装置５は、保護ガラスと表示板とからなる正面パネル、透明液晶パネル、導光板、反射フィルム、所謂白色光源である蛍光ランプ、ランプホルダ、及び、透明液晶パネル駆動用のＩＣを搭載したテーブルキャリアパッケージ（ＴＣＰ）からなり、ＴＣＰは、透明液晶パネルの端子部に接続したフレキシブル基板等により構成される。
【００２８】
液晶表示装置５の下方には、斜め上方に開口したリール表示窓２ａが形成されている。そして、リール表示窓２ａの奥には、変動表示手段としての３個のリール３Ｌ・３Ｃ・３Ｒが設けられている。３個のリール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「下チリ」、「ベル」、「スイカ」、「Ｒｅｐｌａｙ」、「チェリー」及び「上チリ」の図柄からなっている。各リールは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００２９】
リール３Ｌ・３Ｃ・３Ｒの各図柄は、キャビネット２の正面から縦方向に３つずつ、合計９つの図柄が視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向に横切るクロスダウンライン８ａ、クロスアップライン８ｅが設けられている。これら各入賞ラインは、遊技者に視認可能に表示してもよいし、表示しなくてもよい。
【００３０】
これらの入賞ラインは、後述の１−ＢＥＴボタン１１、最大ＢＥＴボタン１２を操作すること、或いはメダル投入口２２にメダル１１５を投入することにより、１枚賭け時は１本（センターラインのみ）、２枚賭け時（１−ＢＥＴボタン１１を２回操作（押圧）又は、メダル１１５を２枚投入）は３本（センターラインに加え、トップライン、ボトムライン）、最大枚数（本実施例では３枚）賭け時は５本（２枚賭け時の３本に加え、クロスダウンライン、クロスアップライン）が有効化される。入賞ラインは、役の入賞の成否に関わる。具体的には、所定の役に対応する図柄組み合せを構成する図柄が何れかの有効化された入賞ラインに対応する所定の位置に並んで停止表示されることにより、所定の役の入賞が成立することとなる。以下の説明において、有効化された入賞ラインを有効ラインと言う場合がある。
【００３１】
リール表示窓２ａの左側には、払出枚数及びクレジット数を表示する表示部１７が設けられている。表示部１７は、７セグメント表示器からなり、最大４桁の数値が表示される。そして、左側２桁部分には、貯留されているメダル１１５の枚数（クレジット数）が表示され、右側２桁部分には、入賞成立時のメダル１１５の払出枚数を表示される。
【００３２】
表示部１７の右側には、メダル投入ランプ１８、１−ＢＥＴランプ９ａ、２−ＢＥＴランプ９ｂ及び最大ＢＥＴランプ９ｃが設けられている。メダル投入ランプ１８は、メダル１１５の投入が受け付け可能であるときに点滅する。１−ＢＥＴランプ９ａ、２−ＢＥＴランプ９ｂ及び最大ＢＥＴランプ９ｃは、一のゲーム（単位遊技）を行うために賭けられたメダル１１５の数（以下、ＢＥＴ数ともいう）に応じて点灯する。尚、一のゲームは、全てのリールが停止したとき、又は、メダル１１５の払い出しが行われる場合には、メダル１１５が払い出されたときに終了する。
【００３３】
また、表示部１７の左側には、遊技開始表示ランプ１９及びリプレイランプ２０が設けられている。遊技開始表示ランプ１９は、入賞ラインの少なくとも１本が有効化されたときに点灯する。リプレイランプ２０は、後述の「リプレイ」に入賞したときに点灯する。即ち、リプレイランプ２０が点灯している場合は、メダル１１５を投入することなく、ゲームを開始できる。
【００３４】
リール表示窓２ａ及び表示部１７の下方には、水平面を有する台座部１０が形成されている。台座部１０の左側には、１−ＢＥＴボタン１１及び最大ＢＥＴボタン１２が設けられている。１−ＢＥＴボタン１１は、１回の押し操作により、クレジットされているメダル１１５のうちの１枚をゲームへの賭け枚数とし、２回の押し操作により、クレジットされているメダル１１５のうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ラインが有効化されるようになっている。
【００３５】
また、台座部１０の前面部の左寄りには、遊技者が遊技で獲得したメダル１１５のクレジット／払い出しを押し操作により切り替える貯留精算ボタン１４（以下、Ｃ／Ｐボタン１４と言う）が設けられている。この払出手段としてのＣ／Ｐボタン１４の切り替えにより「払い出し」が選択された場合には、正面下部のメダル払出口１５からメダル１１５が払い出され、払い出されたメダル１１５はメダル受け部１６に溜められる。一方、「クレジット」が選択された場合には、遊技機１が備えるメモリ（例えば、後述するＲＡＭ３３等）にメダル数がクレジットとして記憶される。
【００３６】
Ｃ／Ｐボタン１４の右側には、遊技者の操作によりリール３Ｌ・３Ｃ・３Ｒを回転させるためのスタートレバー６が所定の角度範囲で回動自在に取り付けられている。台座部１０の前面部中央には、３個のリール３Ｌ・３Ｒ・３Ｃの回転をそれぞれ停止させるための３個の停止ボタン７Ｌ・７Ｃ・７Ｒが設けられている。
【００３７】
台座部１０の右側には、メダル投入口２２が設けられている。さらに、キャビネット２の上方の左右には、スピーカ２１Ｌ・２１Ｒが設けられ、スピーカ２１Ｌ・２１Ｒの間にはＬＥＤランプ２９が設けられており、遊技状態に応じた演出に伴い、点滅等するようになっている。
【００３８】
また、図１には、メダル受け部１６の点線部で囲んだ部分を拡大した図が記載されている。さらに、図２は図１のメダル受け部１６の拡大図と凹溝１１６の断面図を記載している。
【００３９】
メダル受け部１６は、遊技者側である前面１６ａと、遊技機側の後面１６ｂと、底面１６ｃと、側面１６ｄとを有している。メダル受け部１６の長辺の長さは遊技機１の横幅と一致し、高さはメダル１１５が起立して収容した際に、メダル受け部１６からはみ出さない程度の高さであり、且つ、遊技者の手でメダル１１５を整列させやすい程度の高さになっている。
【００４０】
メダル受け部１６の底面１６ｃの遊技者側から視て右端側には、メダル１１５を起立姿勢にした際に、そのメダル１１５の約１８０°程度の周面に沿う円弧状の凹溝１１６が、底面１６ｃから前面１６ａにかけて１条形成されている。この凹溝１１６は、メダル１１５を起立姿勢で厚み方向に重ねて少なくとも３０枚以上収容することが可能である。このような凹溝１１６は底面１６ｃよりも低い位置に形成されているため、遊技者が行うメダル１１５の凹溝１１６への収容作業を軽度の負担でさせることができる。
【００４１】
また、メダル払出口１５はメダル受け部１６の後面１６ｂの中央に設けられており、複数のメダル１１５をメダル受け部１６の底面１６ｃの中央に向かって払い出すようにされている。よって、メダル払出口１５から払い出されたメダル１１５が凹溝１１６に収容されたメダル１１５にぶつかることがないため、凹溝１１６に収容されたメダル１１５が拡散してしまうことがない。
【００４２】
また、凹溝１１６に付随して、メダル１１５を凹溝１１６の一端１１６ａ側から順に収容した際に、メダル１１５の枚数を把握するガイドとなる目盛り１１７が複数形成されている。ここで、”ガイドとなる目盛り１１７”とは、遊技者にメダル１１５の枚数を把握させるための”案内・指標・指針”その他これらに類似する意味を有する。目盛り１１７と目盛り１１７との間隔は、メダル１１５を厚み方向に１０枚重ねたときの厚さに相当する。そして、目盛り１１７にはメダル１１５の枚数の数値表示１１８が付随されている。具体的には、凹溝１１６の一端１１６ａから１０枚分のメダル１１５の厚さに相当する箇所に形成された目盛り１１７には、「１０」の数値表示１１８が付随され、同様に２０枚分のメダル１１５の厚さに相当する箇所に形成された目盛り１１７には、「２０」の数値表示１１８が付随され、同様に３０枚分のメダル１１５の厚さに相当する箇所に形成された目盛り１１７には、「３０」の数値表示１１８が付随されている。これにより、凹溝１１６の一端１１６ａ側から順にメダル１１５を収容することで形成されたメダル列の端と、メダル列の端に一番近い目盛り１１７との相対位置及びその目盛り１１７に付随する数値表示１１８を認識させることで、凹溝１１６の全長に満たないメダル枚数であっても、遊技者にそのメダル枚数を容易に精度良く把握させることができる。
【００４３】
さらに、数値表示１１８には所定枚数のメダル１１５と交換可能な景品の名称を表示する景品名称表示１１９が付随されている。具体的には、「１０」の数値表示１１８には「ライター」の景品名称表示１１９が付随され、「３０」の数値表示１１８には「タバコ」の景品名称表示１１９が付随されている。これは、メダル枚数が１０枚貯まるとライターと交換でき、３０枚貯まるとタバコと交換できることを意味している。これにより、遊技者に景品と交換可能なメダル枚数を把握させることができ、遊技目標を立てながら遊技をさせることができる。
【００４４】
また、メダル１１５を凹溝１１６に収容したときにメダル間の仕切りとなる凸部１２０は、目盛り１１７に付随して凹溝１１６に形成されている。この場合、メダル間の仕切りとなる凸部１２０による隙間がメダル間にできることで１０枚単位のメダル１１５を取り出し易くさせることができる。さらに、凸部１２０は、メダル１１５をスライドさせて凹溝１１６の一端１１６ａ側に収容する際に抵抗とならない程度の高さであり、且つ、メダル１１５を凹溝１１６の平滑面状を１１６ａ側から１１６ｂ側へ滑らせた時に抵抗とならない程度の高さに形成されている。これにより、遊技者に凹溝上を抵抗無くメダル１１５を滑らせることができる。
【００４５】
図３は図２の矢印Ｉａ方向から視たメダル受け部１６の断面図である。メダル受け部１６の前面１６ａは底面１６ｃから上方に向って凹状の湾曲した曲面となっており、曲面である前面１６ａの高さは、凹溝１１６に収容されたメダル１１５の高さよりも高い。また、凹溝１１６は、遊技者が手でメダル１１５を抵抗無く滑らせることができる程度の平滑面状になっている。これにより、遊技者にメダル１１５を、凹溝１１６の平滑面上を抵抗無く滑らせることができ、さらに底面１６ｃから前面１６ａにかけて上方に向かって滑らせることができる。
【００４６】
（遊技機１の電気的構成：主制御回路７１）
上記のように構成された遊技機１は、図４に示すように、主基板に設けられた主制御回路７１と、副基板に設けられた副制御回路７２とで動作が制御されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行う払出手段としてのＣＰＵ３１と、主基板側記憶手段であるＲＯＭ３２及びＲＡＭ３３を有している。
【００４７】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００４８】
尚、乱数サンプリングのための手段として、マイクロコンピュータ３０内で、即ち、ＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００４９】
上記のマイクロコンピュータ３０からの制御信号により動作が制御される主要なアクチュエータとしては、各種ランプ（ＢＥＴランプ９ａ・９ｂ・９ｃ、リプレイランプ２０、遊技開始表示ランプ１９、メダル投入ランプ１８）と、表示部１７と、メダル１１５を収納し、払出手段としてのホッパー駆動回路４１の命令により所定枚数のメダル１１５を払い出す上述の払出手段としてのホッパー（払出しのための駆動部を含む）４０と、リール３Ｌ・３Ｃ・３Ｒを回転駆動するステッピングモータ４９Ｌ・４９Ｃ・４９Ｒとがある。
【００５０】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び表示部１７を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００５１】
また、主制御回路７１は、制御指令を発生するために必要な入力信号を発生する入力信号発生手段に接続されている。主な入力信号発生手段としては、スタートスイッチ６Ｓ、１−ＢＥＴボタン１１、最大ＢＥＴボタン１２、Ｃ／Ｐボタン１４、投入メダルセンサ２２Ｓ、リール停止信号回路４６、リール位置検出回路５０、払出手段としての払出完了信号回路５１がある。これらもＩ／Ｏポート３８を介してＣＰＵ３１に接続されている。
【００５２】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じて停止信号及びモータ駆動回路３９に始動信号を発生する。リール位置検出回路５０は、リール回転センサからのパルス信号を受けて各リール３Ｌ・３Ｃ・３Ｒの位置を検出するための信号をＣＰＵ３１へ供給する。払出完了信号回路５１は、払出手段としてのメダル検出部４０ｓの計数値（ホッパー４０から払出されたメダル１１５の枚数）が指定された枚数データに達した時、メダル払出完了を検知するための信号を発生する。
【００５３】
また、主制御回路７１のＲＡＭ３３には、種々の情報が一時的に格納される。例えば、実行中の遊技状態や、投入されたメダル１１５の枚数、遊技データ等が格納される。一方、主制御回路７１のＲＯＭ３２には、スタートレバー６を操作（スタート操作）する毎に行われる乱数サンプリングの判定に用いられる確率抽籤テーブルや停止ボタンの操作に応じてリールの停止態様を決定するための停止テーブル群等の各種のデータテーブルと、副制御回路７２へ送信するための各種制御指令（コマンド）等が格納されている。また、ＲＯＭ３２には、後述の各処理ルーチンを実行するプログラム等が格納されている。
【００５４】
尚、ＲＡＭ３３、ＲＯＭ３２はＨＤＤ、ＲＡＭ、フラッシュメモリなどの記憶媒体を用いても良い。
【００５５】
（遊技機１の電気的構成：副制御回路７２）
上記の主制御回路７１は、副制御回路７２にコマンドや情報等を一方向に出力可能に接続されている。副制御回路７２は、主制御回路７１からの制御指令（コマンド）に基づいて液晶表示装置５の表示制御、スピーカ２１Ｌ・２１Ｒからの音の出力制御、ＬＥＤランプ２９の出力制御等の演出の動作制御を行うように構成されている。
【００５６】
副制御回路７２は、主制御回路７１を構成する主基板とは別の副基板上に構成され、図示しないがマイクロコンピュータ（以下『サブマイクロコンピュータ』という）を主たる構成要素とし、液晶表示装置５の表示制御手段としての画像制御回路、スピーカ２１Ｌ・２１Ｒから出力させる音声を制御する音源ＩＣ、及び増幅器としてのパワーアンプ、ＬＥＤランプ２９を駆動するＬＥＤ駆動回路を備えている。尚、副制御回路７２は、クロックパルス発生回路、分周器、乱数発生器及びサンプリング回路を備えていないが、サブＣＰＵの動作プログラム上で乱数サンプリングを実行するように構成されている。
【００５７】
サブマイクロコンピュータは、サブＣＰＵと、副基板側記憶手段としてのプログラムＲＯＭと、ワークＲＡＭを有している。ワークＲＡＭは、上記制御プログラムをサブＣＰＵで実行するときの一時記憶手段として構成される。また、プログラムＲＯＭは、サブＣＰＵで実行する処理ルーチン等の制御プログラムを格納している。
【００５８】
また、副制御回路７２は、制御指令を発生するために必要な入力信号を発生する入力信号発生手段に接続されている。
【００５９】
（遊技状態）
以上のように構成された遊技機１は、『一般遊技状態』、『ＲＢ遊技状態』、『ＢＢ遊技状態』及び『リプレイタイム遊技状態』からなる４種類の遊技状態を出現させる。これら「４種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００６０】
『一般遊技状態』は、基本的に、所謂「出球率」（遊技に賭けられた単位遊技価値に対して遊技者に付与される遊技価値）の期待値が「１」よりも小さい遊技状態であり、他の遊技状態と比べて遊技者にとって最も不利な遊技状態である。
【００６１】
『ＢＢ遊技状態』は、『一般遊技状態』や『リプレイタイム遊技状態』において、ＢＢに内部当籤し、ＢＢに入賞した場合に発生する。ＢＢの入賞は、『一般遊技状態』において「赤７−赤７−赤７」又は「青７−青７−青７」が有効ラインに沿って並ぶことにより成立する。『ＢＢ遊技状態』は、所定枚数のメダル１１５の払い出しが完了すれば終了する。
【００６２】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』や『リプレイタイム遊技状態』又は『ＢＢ遊技状態』においてＲＢ（レギュラーボーナス）に入賞した場合に発生する。ＲＢの入賞は、一般遊技状態又はＢＢ遊技状態において「赤７−赤７−青７」が有効ラインに沿って並ぶことにより成立する。なお、各遊技状態間の移行は、ボーナス図柄の組み合せが入賞ライン上に表示されたとき等により移行する。
【００６３】
『リプレイタイム遊技状態』は、『ＢＢ遊技状態』又は『ＲＢ遊技状態』の後に発生する遊技状態である。『リプレイタイム遊技状態』は、メダル１１５を投入しなくても次ゲームが行える再遊技に入賞する確率が『一般遊技状態』よりも高くなっている。即ち、『リプレイタイム遊技状態』では、『一般遊技状態』よりもメダル１１５を減らすことなく遊技が行える可能性が高くなっているため、少しずつメダル１１５を増やしていくことが可能となる。また、『リプレイタイム遊技状態』は、「チェリーの小役」に入賞すると終了し、『一般遊技状態』に移行する。
【００６４】
なお、『リプレイタイム遊技状態』では、遊技者に、「チェリーの小役」に入賞しないようにナビゲートする報知演出が実行されてもよい。
【００６５】
（図柄組み合せと払い出し枚数）
次に、遊技状態と入賞成立を示す図柄組み合せとメダル１１５の払い出し枚数との関係について説明する。一般遊技状態においては、『ＢＢ』と、『ＲＢ』と『再遊技（リプレイ）』と『スイカの小役』と『ベルの小役』と『チェリーの小役』と『プラムの小役』とに入賞する可能性がある。『ＢＢ』は、「赤７−赤７−赤７」、又は、「青７−青７−青７」が有効ラインに沿って並ぶことにより成立する。『ＲＢ』は、「赤７−赤７−青７」が有効ラインに沿って並ぶことにより成立する。これらのメダル１１５の払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダル１１５の枚数と同数のメダル１１５が自動投入されるので、遊技者はメダル１１５を消費することなく次回のゲームを行うことができる。また、スイカ、ベル、チェリー、プラムの小役の場合、それぞれ６枚、１０枚、６枚、６枚のメダル１１５が払い出される。
【００６６】
ＢＢ遊技状態では、『ＲＢ』と『スイカの小役』と『ベルの小役』と『チェリーの小役』と『プラムの小役』とに入賞する可能性がある。また、ＲＢ遊技状態においては、『再遊技』、『スイカ』、『ベル』、『チェリー』、『プラム』の小役に入賞する可能性がある。スイカ、ベル、チェリー、プラムの小役の場合、それぞれ６枚、１０枚、６枚、６枚のメダル１１５が払い出される。
【００６７】
（主制御回路７１の動作：遊技の実行の場面）
上記の構成において、遊技機１の動作について説明する。
【００６８】
先ず、電源が投入されると、遊技機１は、主制御回路７１において図５のメインルーチンを実行することにより遊技を実施可能な状態になると共に、副制御回路７２において図示しないリセットルーチン等をそれぞれ独立して実行することにより液晶表示装置５の演出画像の表示等を実施可能な状態になる。
【００６９】
具体的には、主制御回路７１によりメインルーチン等が実行されると、図５に示すように、ゲーム開始時の初期化が行われた後（Ｓ１）、ゲーム終了時のＲＡＭ３３の所定の記憶内容が消去される（Ｓ２）。
【００７０】
次に、投入メダルセンサ２２ＳやＢＥＴボタン１１・１２からの入力があるまで待機状態となる。そして、入力があると、メダル投入信号を副制御回路７２に送信する（Ｓ３）。この後、スタートレバー６の操作によりスタートスイッチ６Ｓがオンされたか否かを判定する（Ｓ４）。スタートスイッチ６Ｓがオンされなければ（Ｓ４，ＮＯ）、Ｓ４を再実行し、スタートレバー６が操作されるまで待機する。一方、スタートスイッチ６Ｓがオンされると（Ｓ４，ＹＥＳ）、リール回転処理に実行を移行し（Ｓ５）、続いて抽籤用の乱数を抽出する（Ｓ６）。そして、遊技状態監視処理を実行することによって、今回のゲームにおけるＢＢ遊技状態・ＲＢ遊技状態等のボーナス遊技状態、一般遊技状態及びリプレイタイム（ＲＴ）遊技状態等の遊技状態を確認しセットする（Ｓ７）。即ち、今回のゲームの遊技状態をＢＢ遊技状態・ＲＢ遊技状態等のボーナス遊技状態、一般遊技状態及びリプレイタイム（ＲＴ）遊技状態の何れかにセットする。
【００７１】
今回のゲームの遊技状態が確認されると（Ｓ７）、図示しない確率抽籤テーブルに基づく確率抽籤処理において遊技状態に対応した内部当籤役が抽籤され（Ｓ８）、選択された内部当籤役の情報が副制御回路７２に格納される。尚、本実施形態においては、小役、ボーナスの同時抽籤が可能であり、ＲＴ遊技状態においては、リプレイ役の当籤確率が増大した値に設定される。
【００７２】
内部当籤役を決定すると、停止テーブル群選択処理が実行される（Ｓ９）。そして、リール回転停止処理が実行され、何れかの停止ボタン７Ｌ・７Ｃ・７Ｒが操作されたタイミングで滑りコマ数が決定された後、滑りコマ数分、リールが回転されてから停止される（Ｓ１０）。
【００７３】
この後、入賞判定（入賞検索）によりリール３Ｌ・３Ｃ・３Ｒの図柄の停止態様に基づいて入賞役（入賞が成立した役）が識別される（Ｓ１１）。尚、本実施形態においては、ボーナスフラグの繰り越しはあるが、小役フラグの繰り越し及びボーナスフラグのストックは無いものとする。
【００７４】
そして、遊技状態に応じてメダル１１５のクレジット又は払出しが行われる（Ｓ１２）。尚、ボーナス入賞時に払い出しは無く、小役入賞時だけ払い出しが行われる。
【００７５】
次に、現在の遊技状態がＢＢ遊技状態又はＲＢ遊技状態等のボーナス遊技状態であるか否かが判定される（Ｓ１３）。遊技状態がＢＢ遊技状態又はＲＢ遊技状態等のボーナス遊技状態でない場合には（Ｓ１３，ＮＯ）、『赤７-赤７-赤７』、『青７-青７-青７』等のボーナスに入賞したか否かが判定される（Ｓ１４）。そして、ボーナスに入賞していれば（Ｓ１４、ＹＥＳ）、ボーナス開始信号を副制御回路７２に出力し（Ｓ１５）、Ｓ２が再実行される。なお、再実行された場合、次ゲーム時の遊技状態監視処理の実行時においてボーナス遊技状態にセットされることになる（Ｓ７参照）。一方、ボーナスに入賞していなければ（Ｓ１４、ＮＯ）、ＲＴ回数が『０』になる又はチェリーに入賞する等してＲＴが終了したか否かが判定される（Ｓ１６）。そして、ＲＴが終了していなければ（Ｓ１６、ＮＯ）、ＲＡＭ３３に記憶されているＲＴ回数を減算してＳ２が再実行される。一方、ＲＴが終了していれば（Ｓ１６、ＹＥＳ）、ＲＴ終了信号を副制御回路７２に出力し（Ｓ１７）、Ｓ２が再実行される。なお、再実行された場合、次ゲーム時の遊技状態監視処理の実行時において一般遊技状態にセットされることになる（Ｓ７参照）。
【００７６】
一方、Ｓ１３において、遊技状態がＢＢ遊技状態又はＲＢ遊技状態等のボーナス遊技状態である場合には（Ｓ１３，ＹＥＳ）、ボーナスの『払出枚数のチェック処理』が行われる（Ｓ１８）。尚、ボーナスの『払出枚数のチェック処理』で所定の払出枚数に達するとボーナス遊技状態は終了となる。
【００７７】
この後、ボーナスの終了時であるか否かが判定され（Ｓ１９）、ボーナスの終了時でないと判定された場合には（Ｓ１９，ＮＯ）、Ｓ２が再実行される。一方、ボーナスの終了時であると判定された場合には（Ｓ１９，ＹＥＳ）、ＲＴが開始されたか否かが判定される（Ｓ２０）。そして、ＲＴが開始されていない場合は（Ｓ２０、ＮＯ）、ボーナス終了信号を副制御回路７２に出力し（Ｓ２２）、Ｓ２が再実行される。なお、再実行された場合、次ゲーム時の遊技状態監視処理の実行時において一般遊技状態にセットされることになる（Ｓ７参照）。一方、ＲＴが開始された場合は（Ｓ２０、ＹＥＳ）、ＲＴ開始信号を副制御回路７２に出力し（Ｓ２１）、Ｓ２が再実行される。尚、ボーナスの種類に応じて所定のＲＴ回数が設定されることになる。また、Ｓ２が再実行された場合、次ゲーム時の遊技状態監視処理の実行時においてＲＴ遊技状態にセットされることになる（Ｓ７参照）。
【００７８】
以上の動作により、メダル払出口１５から出てきたメダル１１５はメダル受け部１６の底面１６ｃの中央に払い出される。特にボーナス遊技が実行された場合は大量のメダル１１５が払い出され、メダル受け部１６は乱雑になるが、貯まったメダル１１５は遊技者の手によって凹溝１１６に導かれ、整列させられる。
【００７９】
そこで、例えば遊技者が景品のタバコをメダル１１５と交換しようとする場合、まず遊技者は「タバコ」の景品名称表示１１９が数値表示１１８において「３０」枚であることを確認する。次に１１６ａ側から順にメダル１１５を収容することで形成されたメダル列の端と、「３０」の数値表示１１８及びそれに付随する目盛り１１７とを相対比較することで、「タバコ」と交換できるメダル枚数に到達する枚数を精度良く把握することができる場合がある。また、それにより遊技目標を立てながら遊技をすることができる場合がある。
【００８０】
さらに、「タバコ」と交換できるメダル枚数である３０枚までメダル１１５が貯まると、凸部１２０による隙間から３０枚のメダル１１５の束に遊技者の指をかける。その３０枚のメダル１１５の束を凹溝１１６の一端１１６ａ側から他端１１６ｂ側に向って凹溝１１６の平滑面を利用して滑らし、さらに底面１６ｃから前面１６ａにかけては、前面１６ａが曲面であることを利用して上方に向かって凹状にカーブを描くように滑らしながら引き寄せる。これにより、容易に３０枚のメダル１１５を手に取ることができる場合がある。
【００８１】
（副制御回路７２の動作）
以上のようにして、遊技が実施されている場合等において、副制御回路７２においては、図示しないリセットルーチンを実行することにより液晶表示装置５に対して演出画像を画面表示する。例えば、遊技の中断中であれば、デモ画面が演出画像として液晶表示装置５に表示され、遊技中であれば、擬似リールや遊技状態に応じた演出画像が液晶表示装置５に表示される。
【００８２】
また、副制御回路７２においては、リセットルーチンを実行することによりスピーカ２１Ｌ・２１Ｒに対して演出効果音を出力させる。例えば、遊技の中断中であれば、デモ効果音が演出効果音としてスピーカ２１Ｌ・２１Ｒから発せられ、遊技中であれば、遊技状態に応じた演出効果音がスピーカ２１Ｌ・２１Ｒから発せられる。
【００８３】
（第１の実施の形態の概要）
以上のように、第１の実施の形態の遊技機１においては、入賞成立に応じてメダル１１５をメダル払出口１５から外部に払出す払出手段（ＣＰＵ３１、Ｃ／Ｐボタン１４、ホッパー４０、ホッパー駆動回路４１、払出完了信号回路５１、メダル検出部４０Ｓ等）を備えている遊技機１であって、メダル払出口１５から払出された前記メダルを貯留するメダル受け部１６を備え、メダル受け部１６は、前面１６ａと後面１６ｂと底面１６ｃと側面１６ｄとを有し、前面１６ａは、底面１６ｃから上方に向って凹状に湾曲した曲面であり、メダル受け部１６には、底面１６ｃから前面１６ａにかけてメダル１１５を起立姿勢で厚み方向に重ねて収容可能な平滑面状の凹溝１１６が形成され、凹溝１１６には、複数のメダル１１５を凹溝１１６の端から順に収容した際に、メダル１１５の枚数を把握するガイドとなる目盛り１１７が形成され、目盛り１１７には、前目盛り１１７に対応するメダル１１５の枚数を表示する数値表示１１８が付随されている。
【００８４】
上記の構成によれば、遊技機１のメダル払出口１５から払出された複数のメダル１１５を凹溝１１６の端から順に収容してメダル列を形成し、メダル列の端と目盛り１１７との相対位置を確認することで、凹溝１１６の全長に満たないメダル枚数であっても、メダル枚数を容易に把握させることができる。また、遊技者の手によりメダル受け部１６の底面側から前面側を上方に向って凹状にカーブを描くように凹溝上を滑らしながらメダル１１５を引き寄せることで、遊技者に容易にメダル１１５を手に取らせることができる。
【００８５】
また、本実施の形態の遊技機１においては、凹溝１１６には、所定枚数ごとにメダル間の仕切りとなる凸部１２０が形成されている。
【００８６】
上記の構成によれば、メダル間の仕切りとなる凸部１２０による隙間がメダル間にできることで、所定枚数のメダル１１５を容易に手に取らせることができる。
【００８７】
また、本実施の形態の遊技機１においては、目盛り１１７には、所定枚数のメダル１１５と交換可能な景品の名称を表示する景品名称表示１１９が付随されている。
【００８８】
上記の構成によれば、遊技者に景品名称表示１１９により景品の交換可能な枚数を把握させ、遊技目標を立てながら遊技をさせることができる。
【００８９】
［第２の実施の形態］
本発明の第２の実施の形態を図６及び図７に基づいて以下に説明する。尚、第２の実施の形態についての説明の際、第１の実施の形態と同一の部材には同一の符号を付記してその説明を省略する。
【００９０】
図６は、第２の実施の形態における図１のメダル受け部１６の拡大図と凹溝１１６の断面図である。また、図７は図６の矢印Ｉｂ方向から視たメダル受け部１６の断面図である。第２の実施の形態が第１の実施の形態と異なる点は、図６及び図７で示されている様に、メダル受け部１６に形成された開口部１２１と、開口部１２１を挿通可能に設けられ、凹溝１１６が形成された移動部材１２２とを備えている点である。
【００９１】
上記の開口部１２１は、メダル受け部１６の前面１６ａに形成されている。開口部１２１は、遊技者側から視て右端側に配置されている。開口部１２１の形状は、前面側から視て矩形状に設定されている。開口部１２１の底辺は、メダル受け部１６の前面１６ａと底面１６ｃとの境界線に一致されている。
【００９２】
上記の開口部１２１は、移動部材１２２が前後方向に挿通自在に設けられている。移動部材１２２は、開口部１２１を挿通されることによって、メダル取出し位置とメダル整理位置とに移動可能にされている。移動部材１２２は、メダル１１５の取出しを容易にする曲面部１２２ｂと、移動部材１２２を移動可能にする底面部１２２ａと、メダル枚数の目測を容易にするメダル枚数表示部１２２ｃとを有している。
【００９３】
上記の曲面部１２２ｂは、開口部１２１の形状と同形状に形成されている。さらに、曲面部１２２ｂは、メダル受け部１６の前面１６ａの曲面と同様の曲面を有するように形成されている。これにより、曲面部１２２ｂは、移動部材１２２がメダル整理位置に移動されたときに、開口部１２１に一致することによって、メダル受け部１６の前面１６ａの一部を構成するようになり、払出口１５から大量のメダル１１５が払い出された場合でも、開口部１２１から外部へ漏れることが無いし、美観的にも良い。
【００９４】
上記の曲面部１２２ｂには、底面部１２２ａが接続されている。底面部１２２ａは、曲面部１２２ｂの底辺から後方側に水平方向に曲折されている。底面部１２２ａの遊技機側の側面は、移動部材１２２がメダル整理位置に移動されたときに、メダル受け部１６の後面１６ｂと隙間無く接するようになっている。また、底面部１２２ａから曲面部１２２ｂにかけては、メダル１１５を起立姿勢で厚み方向に重ねて収容可能な平滑面状の凹溝１１６が形成されている。さらに、底面部１２２ａには、１０枚分のメダル１１５の厚さに相当する箇所に、目盛り１１７が形成されている。凹溝１１６には、目盛り１１７に付随して、メダル１１５を凹溝１１６に収容したときにメダル間の仕切りとなる凸部１２０が形成されている。
【００９５】
上記の底面部１２２ａには、メダル枚数の目測を容易にするメダル枚数表示部１２２ｃが遊技者側から視て左側に接続されている。メダル枚数表示部１２２ｃの上部には、目盛り１１７に付随してメダル１１５の枚数を表す数値表示１１８が印字されており、さらに、数値表示１１８には所定枚数のメダル１１５と交換可能な景品の名称を表示する景品名称表示１１９が付随されている。また、底面部１２２ａと同様に、メダル枚数表示部１２２ｃの遊技機側の側面は移動部材１２２がメダル整理位置に移動されたときに、メダル受け部１６の後面１６ｂと隙間無く接するようになっている。これにより、移動部材１２２がメダル整理位置に移動されたときに、移動部材１２２の遊技機側の側面とメダル受け部１６の後面１６ｂとが隙間無く接するようになり、移動部材１２２とメダル受け部１６との隙間にメダル１１５が入り込むことが無い。
【００９６】
また、上記の底面部１２２ａとメダル枚数表示部１２２ｃは、メダル受け部１６の底面１６ｃとの間に、遊技者が移動部材１２２をメダル取出し位置とメダル整理位置とにスライド移動するときに重たく感じさせない程度の摩擦を有している。これにより、遊技者に少しの張力でスライド移動させることができる。
【００９７】
（第２の実施の形態における遊技の実行の場面）
開口部１２１と移動部材１２２を用いると、例えば遊技者が所定枚数のメダル１１５を取り出したい場合、移動部材１２２を利用してメダル１１５が収容された凹溝１１６を遊技者の手で手前に引っ張りながら、開口部１２１から外部へスライド移動させ、さらに第１の実施の形態で説明した様に、所定枚数のメダル１１５をメダル受け部１６の底面側から前面側を上方に向って凹状にカーブを描くように凹溝上を滑らしながらメダル１１５を引き寄せることで、第１の実施の形態よりもさらに遊技者の近いところでメダル１１５を容易に手に取ることができる場合がある。尚、その他の点は第１の実施の形態と同じであるため、その説明を省略する。
【００９８】
（第２の実施の形態の概要）
以上のように、第２の実施の形態の遊技機１においては、メダル受け部１６の前面１６ａには、開口部１２１が形成され、凹溝１１６は、開口部１２１から外部へスライド移動可能である移動部材１２２に形成されている。
【００９９】
上記の構成によれば、メダル１１５が収容された凹溝１１６をメダル受け部１６の開口部１２１から外部へスライド移動することで、遊技者の手元に近いところで容易にメダル１１５を手に取らせることができる。
【０１００】
（本実施形態の変形例）
以上、本発明を好適な実施の形態に基づいて説明したが、本発明はこれに限定されるものではなく、遊技機１は、以下の構成を上述の実施の形態における構成に加えて、或いは重複、置き換えて備えていてもよい。
【０１０１】
例えば、本実施の形態の遊技機１は、凹溝１１６が、その一端１１６ｂから他端１１６ａにかけて傾斜した構成にされていてもよい。この場合、凹溝１１６に収容したメダル１１５が１つ前に収容されたメダル１１５に寄りかかることで、メダル１１５の転倒を防止することができる場合がある。
【０１０２】
また、メダル受け部１６の後面１６ｂの左端側にメダル払出口１５が設けられ、複数のメダル１１５をメダル受け部１６の底面１６ｃの左端側に向かって払い出すようにされていてもよい。この場合、メダル払出口１５から払出されたメダル１１５が凹溝１１６に収容されたメダル１１５にぶつかることがないため、凹溝１１６に収容されたメダル１１５が拡散してしまうことがない。
【０１０３】
また、第２の実施の形態において、移動部材１２２は底面側に車輪を備え、さらに、メダル受け部１６はその車輪に対応したレールを底面側設けていてもよい。この場合、移動部材１２２とメダル受け部１６の底面１６ｃとの間の摩擦を少しでも感じながらスライド移動させるときよりも、車輪が転がることでスムーズにメダル１１５が収容された凹溝１１６を手元に持ってくることができる。
【０１０４】
また、遊技機１は、所定の遊技結果が表示された場合に遊技者に遊技価値を付与する遊技価値付与手段と、遊技開始指令信号に基づいて所定の役を内部当籤役として決定する内部当籤役決定手段と、内部当籤役に基づいて変動表示手段に入賞態様を表示させる停止制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に、特定の遊技結果が表示されることを告知表示手段に告知態様を表示させる予告表示制御手段と、遊技結果表示手段の表示制御を行なう表示制御手段と、遊技結果表示手段又は変動表示手段の一部又は全部の可変表示を停止させる停止指令信号を出力する遊技者による操作が可能な位置に設けられた表示停止指令手段と、所定の単位遊技で内部当籤役決定手段が内部当籤役として決定した特定の役を次回の単位遊技にも内部当籤役として持ち越す内部当籤役持越手段と、内部当籤役決定手段が内部当籤役として決定した特定の役を蓄積して記憶する特定役蓄積手段と、特定役蓄積手段が蓄積して記憶している特定の役を内部当籤役とする蓄積特定役当籤手段とを少なくとも１つ以上備えていてもよい。
【０１０５】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【０１０６】
『遊技価値付与手段』は、遊技価値（コイン）を付与（払出）するプログラム等、有利状態発生手段を含み、賞媒体の払出、磁気カードへの記録、ゲームの得点加算も含む。
【０１０７】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籤役決定手段と同一の基板に設けられてもよい。（別体でもよい。）さらには、演出表示制御手段及び告知表示制御手段は、内部当籤役決定手段と別体の基板に設けられてもよい。（別体でもよい。）
【０１０８】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【０１０９】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【０１１０】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籤役決定手段』は、内部当籤役抽籤手段、内部当籤役持越手段、特定役蓄積手段、蓄積特定役当籤手段等から構成されている。
【０１１１】
尚、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄のうちに特定の図柄が含まれている（単チェリー、２連チェリー等）等を含む。
【０１１２】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１１３】
『予告態様』は、所定の内部当籤役または特定の内部当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の内部当籤役または特定の内部当籤役が決定されていることを遊技者に対して告知する態様や、所定の内部当籤役または特定の内部当籤役が決定されていないことを遊技者に対して告知する態様、また、その演出態様を含む。『大当り確定』、『ボーナス確定』、『外れ確定』、『ベル確定』、『遊技手順ナビゲート機能当籤？』等の文字も含む。
【０１１４】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１１５】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組合せられたもの等を含む。
【０１１６】
『内部当籤役』は、複数の役から内部当籤役決定手段により内部当籤役として決定された１または複数の役を含む。『入賞役』は、内部当籤役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【０１１７】
また、パチスロ等における役は、次のうちの１または複数を適用してもよい。外れ、所定枚数の賞媒体を払出す小役、内部当籤役決定手段が小役を内部当籤役と決定する確率を１単位遊技（１ゲーム）の間だけ高確率とするシングルボーナス、内部当籤役決定手段が小役を内部当籤役と決定する確率を複数単位遊技の間だけ高確率とするレギュラーボーナス、内部当籤役決定手段がレギュラーボーナスを内部当籤役に決定する確率を複数単位遊技の間だけ高確率とするビッグボーナス、内部当籤役決定手段が決定した内部当籤役に関する情報を遊技者による表示停止指令手段の操作より以前に報知する内部当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１１８】
例えば、上述の内部当籤役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【０１１９】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、またはメダル１１５が遊技者により投入されたこと、等により遊技開始指令信号を出力するように構成し、ベットボタンの操作またはメダル１１５の投入から変動表示手段に遊技結果が表示されるまで。ベットボタンが遊技者により操作されたこと、またはメダル１１５が遊技者により投入されたこと、等により遊技開始指令信号を出力するように構成し、ベットボタンの操作またはメダル１１５の投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【０１２０】
本実施形態においては、本発明をパチスロ遊技装置に適用した場合について説明したが、本発明を他の遊技機（例えば、パチンコ遊技装置、スロットマシン等）に適用することも可能である。
【０１２１】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明の実施の形態に記載されたものに限定されるものではない。
【図面の簡単な説明】
【０１２２】
【図１】第１の実施形態に係る遊技機の斜視図である。
【図２】第１の実施形態に係るメダル受け部の斜視図と凹溝の断面図である。
【図３】第１の実施形態に係るメダル受け部の横からみた断面図である。
【図４】本実施形態に係る主制御回路のブロック図である。
【図５】メインルーチンのフローチャートである。
【図６】第２の実施形態に係るメダル受け部の斜視図と凹溝の断面図である。
【図７】第２の実施形態に係るメダル受け部の横からみた断面図である。
【符号の説明】
【０１２３】
１  遊技機
１４  Ｃ／Ｐボタン
１５  メダル払出口
１６  メダル受け部
１６ａ  前面
１６ｂ  後面
１６ｃ  底面
１６ｄ  側面
２２  メダル投入口
３１  ＣＰＵ
４０  ホッパー
４０ｓ  メダル検出部
４１  ホッパー駆動回路
５１  払出完了信号回路
１１５  メダル
１１６  凹溝
１１７  目盛り
１１８  数値表示
１１９  景品名称表示
１２０  凸部
１２１  開口部
１２２  移動部材
１２２ａ  底面部
１２２ｂ  曲面部
１２２ｃ  メダル枚数表示部 
【図１】
2009131414.tif 000003
【図２】
2009131414.tif 000004
【図３】
2009131414.tif 000005
【図４】
2009131414.tif 000006
【図５】
2009131414.tif 000007
【図６】
2009131414.tif 000008
【図７】
2009131414.tif 000009